(57)【要約】【課題】  本発明はおたま杓子としての使用は勿論、灰汁も表面張力によって底面に効率よく付着させて除去することができるおたま杓子を得るにある。【解決手段】  あらかじめ設定された容量となる、弧状の凹部が形成された碗部と、この碗部と一体あるいは固定的に取付けられた柄とからなるおたま杓子において、前記碗部の底面の全面あるいは上部外周部を除く底面に灰汁を表面張力によって付着保持させることができる、所定間隔で多数個の小さな突起あるいは凹部を形成しておたま杓子を構成している。【選択図】  図１
2005168617.tif 000002
【特許請求の範囲】
【請求項１】
あらかじめ設定された容量となる、弧状の凹部が形成された碗部と、この碗部と一体あるいは固定的に取付けられた柄とからなるおたま杓子において、前記碗部の底面の全面あるいは上部外周部を除く底面に灰汁を表面張力によって付着保持させることができる、所定間隔で多数個の小さな突起あるいは凹部を形成したことを特徴とするおたま杓子。
【請求項２】
あらかじめ設定された容量となる、弧状の凹部が形成された碗部と、この碗部と一体あるいは固定的に取付けられた柄とからなるおたま杓子において、前記碗部の底面の全体あるいは上部外周部を除く底面に形成された灰汁を表面張力によって付着保持させることができる、所定間隔で多数個形成された小さな突起あるいは凹部と、前記碗部の内壁面に大さじ１杯、２杯分等の分量を量ることができるように形成されたリング状の計量線とを設けたことを特徴とするおたま杓子。
【請求項３】
小さな突起は下部の寸法が２ｍｍ〜３ｍｍの四角錐台形状、三角錐台形状、円錐台形状、楕円錐台形状、半球、半楕円球状に形成されていることを特徴とする請求項１、２いずれかに記載のおたま杓子。
【発明の詳細な説明】
【技術分野】
【０００１】
本発明は灰汁を付着保持させることができるおたま杓子に関する。
【背景技術】
【０００２】
従来、おたま杓子の碗部の底面に灰汁取り用ネットを着脱可能に取付けて使用するものが考えられている。
【０００３】
しかしながら、このような灰汁取り用ネットを使用するものでは、本来のおたま杓子としての使用時には、灰汁取り用ネットがじゃまとなり、取り外して使用しなければならず、灰汁取り用ネットを着脱しながら使用しなければならず、その作業が大変で面倒であるという欠点があった。
【特許文献１】実開昭５８−８８９３９
【発明の開示】
【発明が解決しようとする課題】
【０００４】
本発明は以上のような従来の欠点に鑑み、おたま杓子としての使用は勿論、灰汁も表面張力によって底面に効率よく付着させて除去することができるおたま杓子を提供することを目的としている。
【０００５】
また、本発明の他の目的は碗部で計量することができるとともに、底面で灰汁を表面張力によって効率よく付着させて除去することができる多機能のおたま杓子を提供することを目的としている。                  
【０００６】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００７】
上記目的を達成するために、本発明はあらかじめ設定された容量となる、弧状の凹部が形成された碗部と、この碗部と一体あるいは固定的に取付けられた柄とからなるおたま杓子において、前記碗部の底面の全面あるいは上部外周部を除く底面に灰汁を表面張力によって付着保持させることができる、所定間隔で多数個の小さな突起あるいは凹部を形成しておたま杓子を構成している。
【０００８】
また、本発明はあらかじめ設定された容量となる、弧状の凹部が形成された碗部と、この碗部と一体あるいは固定的に取付けられた柄とからなるおたま杓子において、前記碗部の底面の全体あるいは上部外周部を除く底面に形成された灰汁を表面張力によって付着保持させることができる、所定間隔で多数個形成された小さな突起あるいは凹部と、前記碗部の内壁面に大さじ１杯、２杯分等の分量を量ることができるように形成されたリング状の計量線とを設けておたま杓子を構成している。
【発明の効果】
【０００９】
以上の説明から明らかなように、本発明にあっては次に列挙する効果が得られる。
【００１０】
（１）碗部の底面の全面あるいは上部外周部を除く底面に、灰汁を表面張力によって付着させることができる、所定間隔で多数個の小さな突起を形成したので、碗部の底面を灰汁部分に押し付けることにより、底面の多数個の小さな突起部分に灰汁を表面張力によって付着させることができる。
したがって、楽な作業で、効率よく灰汁を付着させて除去することができる。  
【００１１】
（２）前記（１）によって、碗部の内側面は円弧状の凹部であるため、従来のおたま杓子と同様に使用することができる。
【００１２】
（３）前記（１）によって、碗部の底面に多数個の小さな突起を形成するだけでよいので、構造が簡単で、おたま杓子としての使用は勿論、灰汁の除去作業もそのままで行なうことができる。
【００１３】
（４）請求項２も前記（１）〜（３）と同様な効果が得られるともに、碗部の内壁面に形成されたリング状の計量線によって、調味料等の計量を行なうことができ、料理を効率よく、スムーズに行なうことができる。
【発明を実施するための最良の形態】
【００１４】
以下、図面に示す本発明を実施するための最良の第１の形態より、本発明を詳細に説明する。
【００１５】
図１ないし図８に示す本発明を実施するための最良の第１の形態において、１は本発明のおたま杓子で、このおたま杓子１はポリエーテルイミド等の合成樹脂材で成型されたもので、あらかじめ設定された例えば１００ｍｌの容量となる弧状の凹部２が形成された碗部３と、この碗部３と一体形成された柄４とからなり、前記碗部３の内壁面には５ｍｌ、１５ｍｌ、３０ｍｌ、５０ｍｌ分あるいは、小さじ１杯、大さじ１杯、２杯分あるいは、大さじ１杯、２杯、４杯分等の分量を量ることができるように形成されたリング状の計量線５、５Ａ、５Ｂ、５Ｃが形成され、底面全体には灰汁を表面張力によって付着保持させることができる所定間隔、好ましくは下部の寸法が２ｍｍ〜３ｍｍの四角錐台形状の多数個の小さな突起６が形成されている。
なお、前記分量を量ることができるように形成されたリング状の計量線５、５Ａ、５Ｂ、５Ｃは凹部を形成して表示したものについて図示したが、本発明はこれに限らず、安全なインクなどを用いてリング状に形成したり、少なくとも一対の対応部位に弧状に形成してもよい。
【００１６】
上記構成のおたま杓子１は、調味料等を計量することができるおたま杓子１として使用することができるとともに、碗部３の底面を灰汁に押し付けることにより、底面の多数個の小さな突起６部に灰汁を表面張力によって、効率よく付着保持させて除去することができる。
また、碗部３の底面の多数個の小さな突起６部に、表面張力によって付着保持された灰汁は、水が収納された桶やどんぶり等に漬けて揺らすことにより、簡単に灰汁を多数個の小さな突起６より除去することができる。
[発明を実施するための異なる形態]
【００１７】
次に、図９ないし図２２に示す本発明を実施するための異なる形態につき説明する。なお、これらの本発明を実施するための異なる形態の説明に当って、前記本発明を実施するための最良の第１の形態と同一構成部分には同一符号を付して重複する説明を省略する。
【００１８】
図９ないし図１２に示す本発明を実施するための第２の形態において、前記本発明を実施するための最良の第１の形態と主に異なる点は、円錐台形状の多数個の小さな突起６Ａを碗部３の底面全体に形成した点で、このように形成された碗部３を用いて構成したおたま杓子１Ａにしても、前記本発明を実施するための最良の第１の形態と同様な作用効果が得られる。
【００１９】
図１３ないし図１５に示す本発明を実施するための第３の形態において、前記本発明を実施するための最良の第１の形態と主に異なる点は、碗部３の上部外周部を除く底面に多数個の小さな突起６を形成した点で、このように形成された碗部３を用いて構成したおたま杓子１Ｂにしても、前記本発明を実施するための最良の第１の形態と同様な作用効果が得られるとともに、碗部３の周縁部に汁物の具等が付着するのを効率よく阻止することができる。
【００２０】
図１６ないし図１９に示す本発明を実施するための第４の形態において、前記本発明を実施するための最良の第１の形態と主に異なる点は、半球形状の多数個の小さな突起６Ｂを碗部３の底面に形成した点で、このように形成された碗部３を用いて構成したおたま杓子１Ｃにしても、前記本発明を実施するための最良の第１の形態と同様な作用効果が得られる。
【００２１】
図２０ないし図２２に示す本発明を実施するための第５の形態において、前記本発明を実施するための最良の第１の形態と主に異なる点は、碗部３の底面に円錐台形状の多数個の小さな凹部７を形成した点で、このように形成された碗部３を用いて構成したおたま杓子１Ｄにしてもよい。
なお、多数個の小さな凹部７は汚れが容易に落ちる形状であれば、円錐台形状以外の形状の凹部を用いてもよい。
【００２２】
なお、前記本発明を実施するための形態では四角錐台形状、円錐台形状、半球形状の多数個の小さな突起６、６Ａ、６Ｂを碗部３の底面に形成するものについて説明したが、本発明はこれに限らず、四角錐台形状以外の多角錐台形状や楕円錐台形状、半楕円球状等に形成したものを碗部３の底面に形成してもよい。
また、前記本発明を実施するための形態では、碗部３と柄４とを一体成型したものについて説明したが、本発明はこれに限らず、別体に形成されたものを一体的に固定したものであってもよい。
さらに、前記本発明を実施するための形態では、おたま杓子を合成樹脂材で成型するものについて説明したが、本発明はこれに限らず、ステンレスなどの金属材、木材、セラミックス等どんな材質を用いて形成してもよい。
【産業上の利用可能性】
【００２３】
本発明はおたま杓子を製造する産業で利用される。
【図面の簡単な説明】
【００２４】
【図１】本発明を実施するための最良の第１の形態の側面図。
【図２】本発明を実施するための最良の第１の形態の平面図。
【図３】本発明を実施するための最良の第１の形態の底面図。
【図４】図２の４−４線に沿う拡大断面図。
【図５】本発明を実施するための最良の第１の形態の碗部の拡大底面図。
【図６】本発明を実施するための最良の第１の形態の小さな突起の拡大説明図。
【図７】本発明を実施するための最良の第１の形態の灰汁を付着させる説明図。
【図８】本発明を実施するための最良の第１の形態の灰汁が付着保持された状態の説明図。
【図９】本発明を実施するための第２の形態の平面図。
【図１０】図９の１０−１０線に沿う拡大断面図。
【図１１】本発明を実施するための第２の形態の碗部の拡大底面図。
【図１２】本発明を実施するための第２の形態の小さな突起の拡大説明図。
【図１３】本発明を実施するための第３の形態の側面図。
【図１４】図１３の１４−１４線に沿う拡大断面図。
【図１５】本発明を実施するための第３の形態の碗部の拡大底面図。
【図１６】本発明を実施するための第４の形態の平面図。
【図１７】図１６の１７−１７線に沿う拡大断面図。
【図１８】本発明を実施するための第４の形態の碗部の拡大底面図。
【図１９】本発明を実施するための第４の形態の小さな突起の拡大説明図。
【図２０】本発明を実施するための第５の形態の平面図。
【図２１】図２０の２１−２１線に沿う拡大断面図。
【図２２】本発明を実施するための第５の形態の碗部の拡大底面図。
【符号の説明】
【００２５】
１、１Ａ、１Ｂ、１Ｃ、１Ｄ：おたま杓子、
２：弧状の凹部、                    ３：碗部、
４：柄、
５、５Ａ、５Ｂ、５Ｃ：計量線、
６、６Ａ、６Ｂ：多数個の小さな突起、
７：多数個の小さな凹部。
【図１】
2005168617.tif 000003
【図２】
2005168617.tif 000004
【図３】
2005168617.tif 000005
【図４】
2005168617.tif 000006
【図５】
2005168617.tif 000007
【図６】
2005168617.tif 000008
【図７】
2005168617.tif 000009
【図８】
2005168617.tif 000010
【図９】
2005168617.tif 000011
【図１０】
2005168617.tif 000012
【図１１】
2005168617.tif 000013
【図１２】
2005168617.tif 000014
【図１３】
2005168617.tif 000015
【図１４】
2005168617.tif 000016
【図１５】
2005168617.tif 000017
【図１６】
2005168617.tif 000018
【図１７】
2005168617.tif 000019
【図１８】
2005168617.tif 000020
【図１９】
2005168617.tif 000021
【図２０】
2005168617.tif 000022
【図２１】
2005168617.tif 000023
【図２２】
2005168617.tif 000024